【手続補正書】
【提出日】平成15年9月24日(2003.9.24)
【手続補正１】
【補正対象書類名】明細書
【補正対象項目名】全文
【補正方法】変更
【補正の内容】
【発明の名称】目地などの隙間の防草構造
【特許請求の範囲】
【請求項１】界面隙間の地表部を、隙間の拡大などによる外力に対して変形の効く防草機能をもったシール材で密封状態に接着して覆う防草構造であって、
シール材の幅方向の中央部が非接着であることを特徴とする目地などの隙間の防草構造。
【請求項２】非接着部が、シール材と被接着面との間にシートを配置してなること
を特徴とする請求項１に記載の目地などの隙間の防草構造。
【発明の詳細な説明】
【０００１】
【発明の属する技術分野】
舗装材とコンクリートブロックなどが接する界面隙間（目地と呼ぶこともある）には、雑草が生えやすい。この発明は、これを防ぐ防草構造に関するものである。
【０００２】
【従来の技術】
（イ）特開平７ー１７３８１２及び特開平８ー６０６３２では、前記隙間を防草シートで遮断する、（ロ）特開平８ー２７７５７では前記隙間の空隙自体をなくす、（ハ）特開平２ー２７００４では、前記隙間に雑草忌避剤を混入したアスファルトを注入する方法、が公知となっている。
【０００３】
【発明が解決しようとする課題】
従来技術に比して改良進歩の課題としては、（イ）不等沈下等によって発生する隙間の変形拡大による、覆い材の防草機能の破壊を軽減する。（ロ）部分補修や再施工性の向上（ハ）施工後に発生した微小な隙間への雑草成育と、それによる舗装材破壊の可能性を軽減する。（ニ）施工手間の軽減。
【０００４】
【課題を解決するための手段】
請求項１対応。コンクリートブロックなどと舗装材が接する界面隙間の地表部を、隙間の拡大などによる外力に対して変形の効く防草機能をもったシール材で密封状態に接着して覆う防草構造であって、シール材の幅方向の中央部を非接着とする。「隙間の拡大などによる外力に対して変形の効く」とは、隙間を形成するもの同士の不等沈下や振動による隙間幅の拡大によって生じるシール材の引張り力に対して適度の伸縮性をもって追従することをいう。また「密封状態」とは、雑草の根や芽の侵入を容易に許さない程度の状態をいう。
【０００５】
請求項２対応。接着部が、シール材と被接着面との間にシートを配置してなることを特徴とする請求項１に記載の目地などの隙間の防草構造。
【０００６】
【実施例】
図１参照。コンクリートブロックなどと舗装材が接する界面の隙間の表面を、弾力性を有する資材で幅方向の中央部を非接着にして密封状態に接着して覆う。この覆いにより、土中からの発芽及び地表からの種子の侵入を妨げる。「弾力性を有する資材」とは、隙間を形成するもの同士の不等沈下や振動による隙間幅の拡大などにより、覆い材が引きちぎれないように変形伸縮する性質を持つものをいう。一例としては、耐候性があり雑草の芽や根が通りにくい合成ゴム。また「接着」する方法としては、適度な流動性・浸透性をもたせた液状のものを、所要の厚さの帯状に撒きだして硬化・接着させるものと、予め帯状に成型されたものを接着する方法がある。前者の製品例としては、舗装クラックや目地に注入する補修材の他、コーキング材やシール材がある。なお許容させる伸縮量により、これらの材質を調整する必要はある。
【０００７】
図１の例では、隙間４の地表部に分離シート７を乗せて、その上に液状のキャップシール１を施した状態を表している。分離シート７は、コンクリートブロック２や舗装３に、キャップシール１の幅の中央部が直接に接着しないように分離させ、縁部分だけが接着なるようにするものである。これにより、隙間４の幅が拡大するような力が作用したときに、キャップシール１の中央部の非接着部分が伸びて引きちぎれるのを防ぐ。つまり、分離シート７の幅の区間に相当するキャップシール１が伸びるので、引きちぎれる外力の許容が大きくなる。施工性及び作用の面から分離シート７の材質としては、下面がコンクリートや舗装への粘着性を持ち、上面が難粘着性の性質を持ったもので、硬張らないものがよい。一例としては、クラフト片面粘着テープ、マスキングテープ。図１の下の図は、隙間部分の拡大断面である。
【０００８】
帯状シート状に成型されたものをキャップシール１とする場合は、両縁部分が接着貼り付けできるようにするとよい。
【０００９】
図２の上図参照。界面隙間に、硬化後に弾力性と接着力を有する資材を注入して密封する。これにより、土中からの発芽や地表からの種子の侵入を妨げる。「硬化後」とは、注入時において適度な浸透性を有した液状であり、注入後に硬化するものをいう。加熱したものが冷えることにより硬化する加熱型と、化学反応して硬化する常温型のものがある。一般的には、常温型の方が浸透性に優れている。また隙間は、注入を目的として舗装時に予め所定の幅を確保しておく場合と、自然発生した場合の二通りがある。
図の例では、コンクリートブロック２の背面に板を沿わせるなどして、注入シール８の幅だけの隙間を予め確保して舗装をかける。次に板を撤去して、隙間に底敷きシール９を詰め込み、その上に注入シール８を流し込んで硬化させる。二段構成のシールで雑草を妨げる。両シール材の弾力性により隙間の拡大変形などが生じても、注入シール８の伸びと接着強度の許容範囲において常に隙間の密封状態を確保できる。底敷きシールの形態としては、弾力性を有した合成ゴムなどで、予め確保した隙間幅より少し大きい外径とし、押し込んで強く密封状態にさせるものがよい。
【００１０】
図２の下図参照。上図同様の作業手順であるが、中詰めシール１０が不等沈下などによる隙間の変形に対応する構造となっている。例えば、コンクリートブロック２と舗装３が離れる方向に動いた場合、中詰めシールの１０の中空部が広がり、注入シール８の接着部を剥がす影響は小さい。つまり、注入シール８の材質と中詰めシール１０の形態の両方が弾力性を持つので、隙間の変形に対応する機能が高い。なおコンクリートブロック２の、注入シール８との接着相当部分は、接着効果を上げるために粗面にしておくとよい。中詰めシール１０の材質は、耐候性と柔軟性を有した樹脂性が適する。
【００１１】
図３参照。コンクリートブロック２の背面に取り付けられた防草シート１１は、隙間に沿って地表に顔をだし、縁が舗装側に折り曲げられて舗装３の表面に接着されている。これの特長は、防草シート１１の縦部分とコンクリートブロック２の微小界面に雑草が成育したとしても、根が舗装側へ影響しない。また防草シート１１の地表接着部の幅の範囲においては、土中から舗装を突き抜けようとする芽を妨げる。なお防草シート１１をコンクリートブロック２に取り付ける方法としては、埋設、差し込み、噛み合わせ、接着等がある。
【００１２】
図４参照。防草シート１１と注入シール８を併用したものである。注入シール８は、隙間の変形に対しても密封機能を保つものであるが、不測の状況により密封が壊れてそこに雑草が成育したとしても、根は防草シート１１に妨げられるので下へ伸びることはない。つまり二重の防草機能を持つ。
【００１３】
図５参照。中詰めシールの他のタイプを表している。Ａは、全体として長方形の断面で、上部と下部が内部へ折れ込んで蛇腹状になっている。隙間が拡大変形のときに、この折れ込み部分が伸びて対応する。Ｂは、Ｕ型断面のものが向かい合って重なっている。内部は注入材が浸透しないので、隙間の変形拡大に対応する。Ｃは、Ｃ型断面のものが抱き合っている。Ｂ同様に内部は注入材が浸透しないので、隙間の変形拡大に対応する。各図の側面に設けている突起は、側面とコンクリートブロックなどとの間に所定のスペースを確保して、注入材が満たされるようにする働きをもつ。なおＢとＣは、中空部に注入材が浸透しないように、要所を弱いテープなどで蓋をしておくとよい。
【００１４】
なお界面を構成する二つの構造物としては、コンクリートブロックとアスファルト又はコンクリート舗装が主であるが、他の材料にも広く利用できる。
【００１５】
【発明の効果】
請求項１は、シール材全体が界面隙間の地表部を覆うことによる外部からの種子の侵入や土中からの発芽成長の抑制作用に加えて、シール材の幅方向の中央部は被接着面とは遊離状態にあるため、界面隙間の拡大による引っ張り力に対して伸びの許容が大きくなり、引きちぎれや、伸びによるシール材の弱化が少なく、防草機能の低下が軽減される。
請求項２は、シール材と被接着面との間に分離テープを配置することにより、シール材の全幅が接着性を有していても上記同等の作用が得られる。
【図面の簡単な説明】
【図１】キャップシールの使用例を示す断面斜視図である。
【図２】注入シールの使用例を示す断面斜視図である。
【図３】防草シートの使用例を示す断面斜視図である。
【図４】防草シートと注入シール併用の使用例を示す断面斜視図である。
【図５】中詰めシールの別型を示す断面斜視図である。
【符号の説明】
１  キャップシール
２  コンクリートブロック
３  舗装
４  隙間
５  路盤
６  接着部
７  分離シート
８  注入シール
９  底敷きシール
１０  中詰めシール
１１  防草シート